【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
屋内に置かれて液体を含む負荷の温度を少なくとも所望の温度に高めるためのヒート・ポンプ・システムであって、
外部熱エネルギー源から熱エネルギーを受け取るように構成された屋外ユニットを含む第１の作動流体循環路であって、前記負荷の温度が中間温度よりも低い場合に、それの熱エネルギーのいくらかを前記負荷に直接伝達して前記負荷の温度を少なくとも前記中間温度に高めるように構成された第１の作動流体循環路で、制御可能な膨張弁を含む第１の作動流体循環路と、
前記第１の作動流体循環路から前記熱エネルギーのいくらかを直接受け取るように構成された屋内第２の作動流体循環路であって、前記負荷の温度が前記所望温度よりも低い場合に、それの熱エネルギーのいくらかを前記負荷に直接伝達して前記負荷の温度を前記中間温度から少なくとも前記所望温度に高めるように構成された第２の作動流体循環路で、制御可能な膨張弁を含む第２の作動流体循環路と、
加熱されるべき負荷液体を循環させるための負荷循環路で、該負荷循環路中の前記負荷液体の温度を制御するのを助けるように前記負荷循環路中の前記負荷液体の流量を制御するポンプを備える負荷循環路と、
前記第１の作動流体循環路の制御可能な膨張弁と前記第２の作動流体循環路の制御可能な膨張弁と前記負荷循環路のポンプとを制御して、当該ヒート・ポンプ・システムを最適化する制御装置と、
を備えるヒート・ポンプ・システム。
【請求項２】
前記屋内第２の作動流体循環路を前記負荷の近くの屋内に置かれた、請求項1に記載のビート・ポンプ・システム。
【請求項３】
前記第１の作動流体循環路から前記負荷に熱エネルギーを直接伝達するように構成された第１の熱交換器を備える、請求項１または２に記載のヒート・ポンプ・システム。
【請求項４】
前記第１の作動流体循環路から前記第２の作動流体循環路に熱エネルギーを直接伝達するように構成された第２の熱交換器を備える、請求項３に記載のヒート・ポンプ・システム。
【請求項５】
前記第２の作動流体循環路から前記負荷に熱エネルギーを直接伝達するように構成された第３の熱交換器を備える、請求項４に記載のヒート・ポンプ・システム。
【請求項６】
前記第１の作動流体循環路が、それの熱エネルギーの大部分を前記負荷と直接交換し、またそれの熱エネルギーのより少ない部分を前記第２の作動流体循環路と直接交換するように構成されている、請求項５に記載のヒート・ポンプ・システム。
【請求項７】
前記負荷循環路が、前記第１の作動流体循環路中の前記作動流体をサブクール状態にするように構成されている、請求項１から６のいずれか一項に記載のヒート・ポンプ・システム。
【請求項８】
前記負荷循環路が、前記第２の作動流体循環路中の前記作動流体を過熱低減し、凝縮し、さらにサブクール状態にするように構成されている、請求項１から７までのいずれか一項に記載のヒート・ポンプ・システム。
【請求項９】
前記第２の作動流体循環路が作動流体圧縮機を備え、当該ヒート・ポンプ・システムが、前記負荷液体を前記第２作動流体循環路の作動流体圧縮機のジャケットを通って循環し、前記第２の作動流体循環路中の前記作動流体から前記負荷循環路中の負荷液体に熱エネルギーを伝達するよう構成された請求項８に記載のヒート・ポンプ・システム。
【請求項１０】
前記ジャケットは前記第２作動流体循環路の作動流体圧縮機の周りに巻かれた熱伝達コイルを備える、請求項９に記載のヒート・ポンプ・システム。
【請求項１１】
前記負荷循環路が、前記加熱された負荷液体を貯蔵するための流体貯蔵槽と連絡しているか、又はこの流体貯蔵槽を備える請求項５に記載のヒート・ポンプ・システム。
【請求項１２】
前記第１、第２及び第３熱交換器はハウジング内に設けられ、該ハウジングは前記流体貯蔵槽に直ぐ隣接して置かれるようにされている、請求項１１に記載のヒート・ポンプ・システム。
【請求項１３】
当該システムが、前記負荷液体が前記第１の熱交換器を通過する前の負荷液体温度、前記負荷液体が前記第１の熱交換器を通過した後の負荷液体温度、及び前記負荷液体が前記第３の熱交換器を通過した後の負荷液体温度を監視し、前記流体貯蔵槽中の負荷液体がいつ十分に加熱されたかを判定するように構成されている、請求項１１または１２に記載のヒート・ポンプ・システム。
【請求項１４】
負荷液体温度に基づいて前記第１及び／又は前記第２の作動流体循環路の圧縮機及び／又は前記膨張弁を制御するように構成されている、請求項１３に記載のヒート・ポンプ・システム。
【請求項１５】
前記負荷循環路が、前記加熱された負荷液体を貯蔵するための流体貯蔵槽と連絡しているか、又はこの流体貯蔵槽を備え、さらに、前記流体貯蔵槽中の負荷液体が、比較的高温の別個の上部領域と比較的低温のより冷たい負荷液体の下部領域とを含んだ水温躍層を形成して層状になっている、請求項７から１０までのいずれか一項に記載のヒート・ポンプ・システム。
【請求項１６】
前記流体貯蔵槽の少なくとも前記上部領域中の負荷液体を前記所望温度またはそれ以上に維持するように構成され、さらに、前記流体貯蔵槽の前記下部領域からより冷たい負荷液体を取り出し、前記より冷たい負荷液体を前記負荷流体循環路に沿って循環させて、そのより冷たい負荷液体を少なくとも前記所望温度に上昇させ、さらにその加熱された負荷液体を前記流体貯蔵槽の前記上部領域に戻すように構成されている、請求項１５に記載のヒート・ポンプ・システム。
【請求項１７】
前記第１の作動流体循環路の前記制御可能な膨張弁は前記屋外ユニットに置かれ、該屋外ユニットは、前記第１の作動流体循環路の制御可能な膨張弁を制御しかつ該ヒート・ポンプ・システムの制御装置と連絡している制御装置を備える、請求項１から１６のいずれか一項に記載のヒート・ポンプ・システム。
【請求項１８】
屋内に置かれて液体を含む負荷の温度を少なくとも所望温度に高めるためのヒート・ポンプ・システムで使用される装置であって、該装置は該負荷の近くの屋内に置かれるようにされ、外部熱エネルギー源から熱エネルギーを集めるように構成された既存の屋外の熱交換器に動作可能に接続可能であり、該装置は、
前記負荷の温度が中間温度よりも低い場合に、前記既存の屋外の熱交換器によって集められたいくらかの熱エネルギーを受け取り、さらに前記負荷に熱エネルギーを直接伝達して前記負荷の温度を前記中間温度に高めるように構成された第１の熱交換器と、
前記既存の屋外の熱交換器によって集められたいくらかの熱エネルギーを受け取るように構成された第２の熱交換器と、
前記負荷の温度が前記所望温度よりも低い場合に、前記第２の熱交換器によって集められた熱エネルギーを受け取り、さらに前記負荷に熱エネルギーを直接伝達して前記負荷の温度を前記中間温度から少なくとも前記所望温度に高めるように構成された第３の熱交換器と、を備え、
該装置は前記既存の屋外の熱交換器に動作可能に接続可能であって、前記既存の屋外の熱交換器、前記第１の熱交換器及び前記第２の熱交換器が第１の作動流体循環路の構成要素であるようにされ、さらに前記第１の作動流体循環路は制御可能な膨張弁を備え、
前記第２の熱交換器と前記第３の熱交換器は第２の作動流体循環路の構成要素であり、さらに前記第２の作動流体循環路は制御可能な膨張弁を備えており、
該装置は、さらに、
加熱されるべき前記負荷液体を循環する負荷循環路で、ポンプを備え、前記負荷循環路内の負荷液体の温度を制御するのを助けるように負荷循環路内の負荷液体の流量を制御する負荷循環路と、
前記第１の作動流体循環路の制御可能な膨張弁と、前記第２の作動流体循環路の制御可能な膨張弁と、前記負荷循環路のポンプとを制御して、当該システムを最適化する制御装置と、
を備える装置。
【請求項１９】
負荷液体温度に基づいて前記第１及び／又は前記第２の作動流体循環路の圧縮機及び／又は前記膨張弁を制御するように構成されている、請求項１８に記載の装置。
【請求項２０】
前記第２の作動流体循環路が作動流体圧縮機を備え、さらに当該装置が、前記負荷液体を前記第２の作動流体循環路の作動流体圧縮機のジャケットを通って循環し前記第２の作動流体循環路中の前記作動流体から前記負荷液体に熱エネルギーを伝達するように構成された、請求項１８または１９に記載の装置。
【請求項２１】
前記ジャケットは前記第２の作動流体循環路の作動流体圧縮機の周りに巻かれた熱伝達コイルを備える、請求項２０に記載の装置。
【請求項２２】
前記負荷循環路が、前記加熱された負荷液体を貯蔵するための流体貯蔵槽と連絡しているか、又はこの流体貯蔵槽を備え、さらに、前記流体貯蔵槽中の負荷液体が、比較的高温の別個の上部領域と比較的低温のより冷たい負荷液体の下部領域とを含んだ水温躍層を形成して層状になっている、請求項２０または２１に記載の装置。
【請求項２３】
前記第１の作動流体循環路の前記制御可能な膨張弁は前記屋外ユニットに置かれ、該屋外ユニットは、前記第１の作動流体循環路の制御可能な膨張弁を制御しかつ該ヒート・ポンプ・システムの制御装置と連絡している制御装置を備える、請求項１８から２２のいずれか一項に記載の装置。
【請求項２４】
既存の空気−空気ヒート・ポンプ・システムに組込み可能である、請求項１８から２３までのいずれか一項に記載の装置。
【請求項２５】
前記第１、第２及び第３熱交換器は前記ハウジングの中に置かれる、請求項１８から２４のいずれか一項に記載の装置。